(57)【要約】      （修正有）【課題】テーブルにセッティングする品目を、リング状体を用いてナフキンと一体化して減らし、セッティング作業を効率化するナフキンセットを提供する。【解決手段】ロール状に巻かれたナフキンの胴周りの中央部に、ナフキンの巻かれた状態を維持するようにリング状帯体１０を巻き付け、リング状帯体１０の軸心方向両端部に、各端末から所定寸法だけ中央側位置でリング状帯体の周方向に、箸の太さに対応する長さの切込み１１、１２を入れ、この切込みの両端側の帯体を、帯体のリング形状を部分的に窪ませるようにリング内側に湾曲させて湾曲部１３、１４とし、この両湾曲部と上面中央部１９とによってリング状帯体の軸心方向にロール状ナフキンと並列する空間Ａを形成し、この空間内にリング状帯体の軸心方向に沿って箸を挿入し、更にリング状帯体の上側外表面には出席者の名前を表示して成る。【選択図】図２
0003166414.tif 000002
【実用新案登録請求の範囲】
【請求項１】
ロール状に巻かれたナフキンの胴周りの中央部に、ナフキンの巻かれた状態を維持するようにリング状帯体を巻き付け、該リング状帯体の軸心方向両端部に、各端末から所定寸法だけ中央側位置でリング状帯体の周方向に、箸の太さに対応する長さの切込みを入れ、この切込みの両端側の帯体を、帯体のリング形状を部分的に窪ませるようにリング内側に湾曲させて湾曲部とし、この両湾曲部と上面中央部とによってリング状帯体の軸心方向にロール状ナフキンと並列する空間を形成し、この空間内にリング状帯体の軸心方向に沿って箸を挿入し、更にリング状帯体の上側外表面には出席者の名前を表示して成ることを特徴とするナフキンセット。
【請求項２】
請求項１のナフキンセットにおいて、前記リング状帯体は、その下面側で、ロール状ナフキンの直径に相当する範囲が平坦面に形成されていることを特徴とするナフキンセット。
【請求項３】
請求項２のナフキンセットにおいて、前記リング状帯体は、紙製であり、前記平坦面内の位置でリング状帯体の周方向に開放可能に切り離されており、切り離された両端部には、互いに係止可能とされた係止部が形成されていることを特徴とするナフキンセット。
【請求項４】
請求項３のナフキンセットにおいて、前記平坦面とナフキンとの間に平板状に纏められた箸拭きが挿入され、この箸拭きは、平坦面内に収まる大きさとされていることを特徴とするナフキンセット。
【請求項５】
請求項１〜４のいずれかのナフキンセットにおいて、前記切込みの両端部からリング状帯体の軸心方向に沿ってリング状帯体の両端側に向けてそれぞれ切込みが延長されていることを特徴とするナフキンセット。
【考案の詳細な説明】
【技術分野】
【０００１】
本考案は、ロール状に巻かれたナフキンの胴周りの中央部に、ナフキンの巻かれた状態を維持するようにリング状帯体を巻き付けて成るナフキンセットに関する。
【背景技術】
【０００２】
ブライダル、記念パーティーなど催物の会場のテーブルには、列席者の席次を示す名札や食事のためのナフキンなどを各列席者の席に対応させて並べることが一般的に行われている。下記特許文献１には、ナフキンをテーブルに並べる際に使用される一般的なリング状帯体やリボンの例が示されている。これらは、ロール状に巻かれたナフキンの胴周りの中央部に装飾を施すようにリング状帯体やリボンを巻き付けるものである。
【先行技術文献】
【特許文献】
【０００３】
【特許文献１】特開２００８−３０７８７６号公報
【考案の概要】
【考案が解決しようとする課題】
【０００４】
しかし、催物の開催時にはテーブルに名札、ナフキン、箸などを整然と並べなければならず、セッティング作業に多くの時間を要する。
このような問題に鑑み、本考案の課題は、テーブルにセッティングするための名札、ナフキン、箸を、ナフキンの胴周りに巻き付けられるリング状帯体を利用して一体化することにより、セッティングの品目数を減らし、セッティング作業を効率化することにある。
【課題を解決するための手段】
【０００５】
本考案の第１考案は、ロール状に巻かれたナフキンの胴周りの中央部に、ナフキンの巻かれた状態を維持するようにリング状帯体を巻き付け、該リング状帯体の軸心方向両端部に、各端末から所定寸法だけ中央側位置でリング状帯体の周方向に、箸の太さに対応する長さの切込みを入れ、この切込みの両端側の帯体を、帯体のリング形状を部分的に窪ませるようにリング内側に湾曲させて湾曲部とし、この両湾曲部と上面中央部とによってリング状帯体の軸心方向にロール状ナフキンと並列する空間を形成し、この空間内にリング状帯体の軸心方向に沿って箸を挿入し、更にリング状帯体の上側外表面には出席者の名前を表示して成ることを特徴とするナフキンセットである。
第１考案によれば、ナフキンがロール状に巻かれた状態に維持されると共に、装飾機能も備えたリング状帯体を利用して、名札の機能と箸置きの機能を一体化したので、セッティング作業を容易にすることができる。しかも、リング状帯体の形状を変更するのみで構成され、低コストで実現できる。
【０００６】
本考案の第２考案は、上記第１考案のナフキンセットにおいて、前記リング状帯体は、その下面側で、ロール状ナフキンの直径に相当する範囲が平坦面に形成されていることを特徴とする。
第２考案によれば、リング状帯体の下面が平坦面とされているため、ナフキンセットをテーブルに置いた場合の姿勢が安定し、上面側に表示された出席者の名前が、平坦面を下にしてリング状帯体をテーブルに置くのみで見易い位置となる。
【０００７】
本考案の第３考案は、上記第２考案のナフキンセットにおいて、前記リング状帯体は、紙製であり、前記平坦面内の位置でリング状帯体の周方向に開放可能に切り離されており、切り離された両端部には、互いに係止可能とされた係止部が形成されていることを特徴とする。
第３考案によれば、平坦面で切離し可能とされた両端部間が連結されて成るため、リング状帯体を一枚の紙によって形成することができ、容易に且つ安価に製造できる。
【０００８】
本考案の第４考案は、上記第３考案のナフキンセットにおいて、前記平坦面とナフキンとの間に平板状に纏められた箸拭きが挿入され、この箸拭きは、平坦面内に収まる大きさとされていることを特徴とする。
第４考案によれば、箸拭きが平坦面内に収納されているため、箸拭きもナフキン、名札、箸と共に一体にセットすることができる。しかも、セットされた状態では、箸拭きは外からは見えないため、シンプルな外観とすることができ、見栄えを良くすることができる。
【０００９】
本考案の第５考案は、上記第１〜４考案のいずれかのナフキンセットにおいて、前記切込みの両端部からリング状帯体の軸心方向に沿ってリング状帯体の両端側に向けてそれぞれ切込みが延長されていることを特徴とする。
第５考案によれば、切込みが延長されているため、前記空間内に箸を挿入する際に、湾曲部が変形し易くなり、箸の挿入が容易になると共に、箸の太さがばらついても、それを吸収することができる。
【図面の簡単な説明】
【００１０】
【図１】本考案の一実施形態の斜視図である。
【図２】図１の実施形態におけるリング状帯体の斜視図である。
【図３】図２のリング状帯体の展開途中の底面斜視図である。
【図４】図２のリング状帯体の展開図である。
【考案を実施するための形態】
【００１１】
以下、本考案の一実施形態を図面を参照しながら説明する。
図１は、ナフキン、箸、名札、箸拭きが一体に組合されたナフキンセットを示し、図２〜４は本考案の主要部であるリング状帯体を示す。各図において、２０はナフキン、３０は箸、１０はそれらを一体化するリング状帯体である。
ナフキン２０は、布製の四角形状のものがロール状に巻かれ、その胴周りの中央部に、ナフキンの巻かれた状態を維持するようにリング状帯体１０が巻き付けられている。このリング状帯体１０の上面中央には、出席者の名前が印刷して表示され、名前表示部１９とされている。更にリング状帯体１０の名前表示部１９の軸心方向両端部に、各端末から所定寸法だけ中央側位置でリング状帯体１０の周方向に、箸３０の太さに対応する長さの切込み１１、１２が入れられている。この切込み１１、１２の両端側を、リング状帯体１０のリング形状を部分的に窪ませるようにリング内側に湾曲させて湾曲部１３、１４としている。この両湾曲部１３、１４と名前表示部１９があるリング状帯体１０の上面中央部とによってリング状帯体１０の軸心方向にロール状ナフキン２０と並列する空間Ａを形成し、この空間Ａ内にリング状帯体１０の軸心方向に沿って箸３０を挿入して成る。
この結果、ナフキン２０、箸３０、名札（名前表示部１９が相当する）、箸拭き４０を一体化することができ、これらのもののテーブルへのセッティングを容易にすることができる。
【００１２】
図４に良く示されるように、リング状帯体１０は、長方形の１枚の紙から成り、長方形の各短辺１７、１８には係止部１７ａ，１８ａが形成され、各係止部１７ａ，１８ａを互いに係合することにより帯体１０がリング状とされる。ここで、係止部１７ａは、辺１７の中央部に突出して形成された突部であり、係止部１８ａは、辺１８から所定寸法だけ中央側に位置する切込みである。この切込みである係止部１８ａの両端は円形の孔で止められている。係止部１７ａは、その両端部を片方づつ係止部１８ａの切込みに挿入され、両端部が挿入後は係止部１７ａの両端が係止部１８ａの両端に係止して容易に外れないようにされている。
リング状帯体１０を成す紙片には、各辺１７、１８に沿って折り線１５、１６が設けられ、これらの折り線１５、１６で山折りされ、各係止部１７ａ，１８ａが互いに係合されてリング状とされたとき、折り線１５、１６より各短辺１７、１８側は平坦面となり、折り線１５、１６より中央側は湾曲形状となる。この平坦面は図１のようにロール状ナフキン２０の直径に相当する幅とされている。平坦面が形成されることにより、ナフキンセットをテーブルに置いた場合の姿勢が安定し、上面側に表示された出席者の名前が、平坦面を下にしてリング状帯体１０をテーブルに置くのみで見易い位置となる。
【００１３】
直線状に形成された切込み１１、１２の両端は、その切込みがリング状帯体１０の軸心方向に所定寸法だけ延長されて、延長部１１ａ，１１ｂ，１２ａ，１２ｂとされている。このように延長部１１ａ，１１ｂ，１２ａ，１２ｂを設けることにより空間Ａ内に箸３０を挿入する際に、湾曲部１３、１４が変形し易くなり、箸３０の挿入が容易になると共に、箸３０の太さがばらついても、それを吸収することができる。
【００１４】
図２に良く示されるように、折り線１５、１６間に形成された平坦面Ｂ上には平板状に纏められた箸拭き４０が載置され、リング状帯体１０がロール状ナフキン２０の胴周りに巻かれた状態では、箸拭き４０は平坦面Ｂとナフキン２０との間に挿入されている。この箸拭き４０は、湿らされた紙ナフキンが四角形に畳まれて防湿機能を備えた紙袋に収納されたもので、平坦面Ｂ内に収まる大きさとされている。箸拭き４０は、催物の終了後に箸３０の汚れを拭き、箸３０を持ち帰る際に使用される。
このように箸拭き４０が平坦面Ｂ内に収納されているため、箸拭き４０もナフキン２０、名札、箸３０と共に一体にセットすることができる。しかも、セットされた状態では、箸拭き４０は外からは見えないため、シンプルな外観とすることができ、見栄えを良くすることができる。
なお、リング状帯体１０の外表面には、任意の模様を印刷して装飾を施しても良い。
【００１５】
以上の説明では、一つの実施形態について説明したが、本考案は、この実施形態に限定されることなく、考案の思想の範囲内で各種形態で実施可能である。例えば、リング状帯体は紙製としたが、他の材質のものでも良い。また、リング状帯体は全体として蒲鉾型としたが、多角筒に形成されても良い。更に、名前表示部はリング状帯体の上面中央部としたが、リング状帯体が平坦面を下にしてテーブル上に置かれたときに見易い位置であればどこでも良い。名前の表示も縦書き、横書きいずれでも良い。
【符号の説明】
【００１６】
１０  リング状帯体
１１、１２  切込み
１１ａ，１１ｂ，１２ａ，１２ｂ  延長部
１３、１４  湾曲部
１７、１８  短辺
１７ａ，１８ａ  係止部
１９  名前表示部
２０  ロール状ナフキン
３０  箸
４０  箸拭き
Ａ    空間
Ｂ    平坦面
【図１】
0003166414.tif 000003
【図２】
0003166414.tif 000004
【図３】
0003166414.tif 000005
【図４】
0003166414.tif 000006